(57)【特許請求の範囲】
【請求項１】
発光素子と、
光を取り込む光取込部と、
前記光取込部から取り込まれた光に基づいて周囲の明るさを感知する光センサと、
前記光センサが感知した周囲の明るさを基に、前記発光素子の点灯を制御する点灯回路と、
前記光センサ及び前記点灯回路を収納する収納ボックスとを備え、
前記収納ボックスは、前記光取込部から取り込まれた光を前記光センサへ反射させる反射部を有しているとともに、透光性を有することを特徴とする照明器具。
【請求項２】
発光素子と、
光を取り込む光取込部と、
前記光取込部から取り込まれた光に基づいて周囲の明るさを感知する光センサと、
前記光センサが感知した周囲の明るさを基に、前記発光素子の点灯を制御する点灯回路と、
前記光センサ及び前記点灯回路を収納する収納ボックスとを備え、
前記収納ボックスは、前記光取込部から取り込まれた光を前記光センサへ反射させる反射部を有しており、
前記発光素子及び前記収納ボックスが取り付けられ、絶縁材料からなるボディと、
前記ボディを支持するアームとをさらに備え、
前記アームは開口部を有し、
前記ボディは突起部を有し、
前記光取込部は、前記突起部が前記開口部に嵌合されてなり、
前記突起部の表面は、前記アームの表面と同一の平面を形成するか、又は前記アームの表面に対して突出していることを特徴とする照明器具。
【請求項３】
前記発光素子及び前記収納ボックスが取り付けられ、絶縁材料からなるボディと、
前記ボディを支持するアームとをさらに備え、
前記アームは開口部を有し、
前記ボディは突起部を有し、
前記光取込部は、前記突起部が前記開口部に嵌合されてなり、
前記突起部の表面は、前記アームの表面と同一の平面を形成するか、又は前記アームの表面に対して突出していることを特徴とする請求項１に記載の照明器具。
【請求項４】
前記収納ボックスを覆うカバーをさらに備え、
前記カバーは、少なくとも前記収納ボックスを覆う部分の内面に縞状の凹凸が設けられていることを特徴とする請求項１から３のいずれか１項に記載の照明器具。
【請求項５】
前記収納ボックスを覆うカバーと、
外部から前記収納ボックスへと配置された配線ケーブルと、
前記収納ボックスに設けられ、前記配線ケーブルを止める配線止め部とをさらに備え、
前記配線ケーブルは、前記カバー側へ凸形状となるように前記配線止め部に止められており、
前記カバーは前記カバーの内面に流れる水を排出する排水孔を有していることを特徴とする請求項１から３のいずれか１項に記載の照明器具。
【請求項６】
発光素子と、
光を取り込む光取込部と、
前記光取込部から取り込まれた光に基づいて周囲の明るさを感知する光センサと、
前記光センサが感知した周囲の明るさを基に、前記発光素子の点灯を制御する点灯回路と、
前記光センサ及び前記点灯回路を収納する収納ボックスとを備え、
前記収納ボックスは、前記光取込部から取り込まれた光を前記光センサへ反射させる反射部を有しており、
前記収納ボックスを覆うカバーをさらに備え、
前記カバーは、少なくとも前記収納ボックスを覆う部分の内面に縞状の凹凸が設けられているとともに、前記カバーの内面で水が流れ込む水路と、前記水路に流れ込む水を外部に排出する排水孔とを有していることを特徴とする照明器具。
【請求項７】
外部から前記収納ボックスへと配置された配線ケーブルと、
前記収納ボックスに設けられ、前記配線ケーブルを止める配線止め部とをさらに備え、
前記配線ケーブルは、前記カバー側へ凸形状となるように前記配線止め部に止められていることを特徴とする請求項６に記載の照明器具。
【発明の詳細な説明】
【技術分野】
【０００１】
本発明は、光センサが感知した周囲の明るさに応じて点灯及び消灯する照明器具に関する。
【背景技術】
【０００２】
従来、周囲の明るさを光センサによって感知し、その明るさに応じて光源部の点灯と消灯とを自動制御する照明装置が知られている。このような照明装置において、光源部は、周囲が暗くなったら点灯し、周囲が明るくなったら消灯するというように自動的に制御される。
【０００３】
例えば、特許文献１には、光源部と、光源部の背面側に設置された光センサとを有する照明装置が開示されている。この照明装置においては、受光穴（光取込部）が形成された箱状のケースが光源部の背面側に取り付けられており、前記ケース内に制御基板及び光センサが設けられている。この光センサは受光穴に向けて設置されている。
【０００４】
また、特許文献２には、光源と、点灯回路及び光センサを収納して成るケースと、前記光源及びケースを格納するハウジングとを有する照明装置が開示されている。前記ケースは、自然光（太陽光）をケース内に導くための筒状の採光部（光取込部）を一体に形成している。
【先行技術文献】
【特許文献】
【０００５】
【特許文献１】特開２０１２−２１６４７７号公報（２０１２年１１月８日公開）
【特許文献２】特開２０１４−１６５１３８号公報（２０１４年９月８日公開）
【発明の概要】
【発明が解決しようとする課題】
【０００６】
特許文献１及び２に開示された照明装置においては、光取込部から取り込んだ自然光を光センサに直接導くことにより、取り込んだ光を効率よく利用することができる。しかしながら、電源及び光センサを共に収納したケースを用いる場合、光センサの配置位置が光取込部の位置に応じて特定されると共に、電源の配置位置が光センサの配置位置以外の位置に限定される。また、光センサは、光取込部から取り込まれた光を直接受けるために、光取込部に近接して配置されなければならない。このため、光センサ及び電源のレイアウトにそれぞれ光取込部による制約が生じていた。
【０００７】
本発明は、上記従来の問題点に鑑みなされたものであって、電源及び光センサを共に収納したケースにおける電源及び光センサのレイアウト上の制約を緩和し、かつ光センサに光を効率的に取り込むことができる照明器具を提供することを目的としている。
【課題を解決するための手段】
【０００８】
上記の課題を解決するために、本発明の一態様に係る照明器具は、発光素子と、光を取り込む光取込部と、前記光取込部から取り込まれた光に基づいて周囲の明るさを感知する光センサと、前記光センサが感知した周囲の明るさを基に、前記発光素子の点灯を制御する点灯回路と、前記光センサ及び前記点灯回路を収納する収納ボックスとを備え、前記収納ボックスは、前記光取込部から取り込まれた光を前記光センサへ反射させる反射部を有していることを特徴としている。
【発明の効果】
【０００９】
本発明の一態様によれば、光取込部から取り込んだ光を、反射部によって光センサへと効率的に導いているため、光センサは光取込部に近接して配置する必要がない。よって、電源及び光センサを共に収納したケースを用いても、光センサの配置位置が光取込部の位置に応じて特定されず、また、電源の配置位置が光センサの配置位置以外の位置に限定されない。従って、電源及び光センサを共に収納したケースにおける電源及び光センサのレイアウト上の制約を緩和し、かつ光センサに光を効率的に取り込むことができるという効果を奏する。
【図面の簡単な説明】
【００１０】
【図１】本発明の実施形態１に係る照明器具の構成を示す分解斜視図である。
【図２】上記照明器具の外観の構成を示す斜視図である。
【図３】上記照明器具が支柱に取り付けられた状態を示す図である。
【図４】（ａ）は上記照明器具の構成を示す上面図であり、（ｂ）は上記照明器具の構成を示す側面図であり、（ｃ）は（ａ）のＡ−Ａ線矢視断面図である。
【図５】（ａ）は上記照明器具のカバーを取り付けた状態の構成を示す下面図であり、（ｂ）は上記照明器具のカバーを取り外した状態の構成を示す下面図であり、（ｃ）は（ａ）のＢ−Ｂ線矢視断面図である。
【図６】図１に示される照明器具の電源ユニット周辺の構成を示す図であって、（ａ）はカバーと上記電源ユニットの電源ボックス下蓋とを外した状態の下面図であり、（ｂ）はアーム側から見た上面図であり、（ｃ）は（ｂ）のＣ−Ｃ線矢視断面図である。
【図７】（ａ）は上記電源ボックス下蓋の内面の構造を示す上面図であり、（ｂ）は上記電源ボックス下蓋の外面の構造を示す下面図である。
【図８】図１に示される照明器具の上記電源ユニット周辺の構成を示す図であって、（ａ）は上記電源ボックス下蓋を上記電源ボックス上蓋に取り付ける前の状態を示す斜視図であり、（ｂ）は上記電源ボックス下蓋を上記電源ボックス上蓋に取り付けた後の状態を示す斜視図である。
【図９】（ａ）は図１に示される照明器具の上記電源ユニットを含む部分の断面図であり、（ｂ）は（ａ）に示される光センサ周辺の要部の拡大図である。
【図１０】（ａ）は図１に示される照明器具のセンサ窓を含む部分の構成を示す上面図であり、（ｂ）は（ａ）のＤ−Ｄ線矢視断面図であり、（ｃ）は（ａ）のＥ−Ｅ線矢視断面図である。
【図１１】（ａ）は図１に示される照明器具のセンサ窓を含む部分の他の構成を示す上面図であり、（ｂ）は（ａ）のＦ−Ｆ線矢視断面図であり、（ｃ）は（ａ）のＧ−Ｇ線矢視断面図である。
【図１２】本発明の実施形態２に係る照明器具のカバーの構成を示す図であって、（ａ）は上記カバーにおける電源ユニットを覆う部分を示す側面図であり、（ｂ）は上記カバーにおける電源ユニットを覆う部分を示す上面図である。
【図１３】本発明の実施形態３に係る照明器具の上記電源ユニット周辺の構成を示す図であって、（ａ）はカバーをボディに取り付けた状態の斜視図であり、（ｂ）は電源ユニットからカバーへの水の滴下をカバーを外した状態で示す斜視図であり、（ｃ）はカバーを外した状態の斜視図である。
【発明を実施するための形態】
【００１１】
〔実施形態１〕
本発明の実施形態１について、図１〜図９を用いて説明すれば以下の通りである。
【００１２】
図１は、本発明の実施形態１に係る照明器具３００の構成を示す分解斜視図である。図２は、照明器具３００の外観の構成を示す斜視図である。図３は、照明器具３００が支柱に取り付けられた状態を示す図である。図４の（ａ）は照明器具３００の構成を示す上面図であり、図４の（ｂ）は照明器具３００の構成を示す側面図であり、図４の（ｃ）は（ａ）のＡ−Ａ線矢視断面図である。図５の（ａ）は照明器具３００のカバー５を取り付けた状態の構成を示す下面図であり、（ｂ）は照明器具３００のカバー５を取り外した状態の構成を示す下面図であり、（ｃ）は（ａ）のＢ−Ｂ線矢視断面図である。
【００１３】
図１及び図２に示すように、本実施形態に係る照明器具３００は、金属製のアーム１と、アーム１に取り付けられ、絶縁材料からなるボディ２と、ボディ２上に配置され、ＬＥＤ３を実装するＬＥＤ基板４と、レンズユニット６と、電源を収納する電源ユニット７と、ＬＥＤ基板４を覆うカバー５とを備えている。以降、照明器具３００を構成する各部について説明する。
【００１４】
＜アーム１＞
アーム１は、地上に設置される支柱又は壁面に取り付けられ、ボディ２を支持する。アーム１は、例えば鋼板などの金属板から成っており、矩形状の主板１０と、１対の側板１１とが一体に形成されて成る。各側板１１は、主板１０の長手方向に沿った両側端縁から各々厚み方向に沿って立ち上がるように形成されている。また、アーム１は、水平面に対して一定の角度（例えば３０度）で傾くように湾曲している。
【００１５】
以下、アーム１におけるボディ２に取り付けられる部位（湾曲部から上端部に至る部位）をボディ取付部１Ａと称し、アーム１における支柱に取り付けられる部位を支柱取付部１Ｂ（湾曲部から下端部に至る部位）と称する。
【００１６】
ボディ取付部１Ａには、２つの取付孔１００が、湾曲部付近に間隔をおいて設けられている。これらの取付孔１００は、ボディ２をアーム１に固定するために用いられる取付ねじ（図示せず）を挿通するように形成されている。
【００１７】
支柱取付部１Ｂのほぼ中間部位には、２つの取付孔１０２が間隔をおいて設けられている。これらの取付孔１０２は、壁面（図示せず）に固定するために用いられる取付ねじ（図示せず）を挿通するように形成されている。また、支柱取付部１Ｂにおける主板１０と側板１１との境界部分には、２つのベルト孔１０３が取付孔１０２の形成位置付近から支柱取付部１Ｂの下端部付近に亘って設けられている。これらのベルト孔１０３は、図３に示すベルト３０１を挿通するように縦長に形成されている。
【００１８】
図３に示すように、アーム１は、支柱３０２に取り付けられる場合、支柱３０２に巻き付けられたベルト３０１をベルト孔１０３に挿通することで支柱３０２に固定される。また、アーム１は、壁面に取り付けられる場合、ボルト、ネジ等を取付孔１０２に挿通して壁面に締め付けることで壁面に固定される。
【００１９】
ボディ取付部１Ａにおいて、開口部１ａが、後述するセンサ窓１０１を形成するために設けられている。開口部１ａは、厚み方向に貫通しており、側板１１の幅方向に長い長方形を成すように形成されている。
【００２０】
なお、アーム１は、支柱又は壁面に取り付けられる構造となっているが、それには限定されない。例えば、アーム１は、支柱と一体となって形成されるようなものであってもよい。このように構成されるアーム１は地上に設置される。
【００２１】
＜ボディ２＞
ボディ２は、後述するＬＥＤ基板４、レンズユニット６及び電源ユニット７が取り付けられるベースとして設けられている。ボディ２は、アーム１におけるボディ取付部１Ａに接するように配置されている。ボディ２におけるアーム１とＬＥＤ基板４との間の部分は、熱伝導性を高めるために薄く形成されていることが好ましい。
【００２２】
ボディ２は、絶縁材料、例えばポリカーボネートなどの樹脂材料から形成された箱形の樹脂成形品であり、その一面（内面）が開放されている。ボディ２は、全体が矩形状を成す主部２０を有している。主部２０は、全体が長方形を成しており、外壁２１と、内壁２２と、凹部２５と、凸部２６とを含んで構成されている。
【００２３】
図４の（ｃ）にも示すように、外壁２１は、後述する凹部２５の開放部分を除いて主部２０の外側における全周に亘り、主部２０の外側の上端面から立ち下がるように形成されている。一方、内壁２２は、後述する凹部２５の開放部分を除いて主部２０の内側における全周に亘り、主部２０の内側の上端面から立ち下がるように形成されている。外壁２１の下端部と内壁２２の下端部との間には、後述するカバー５の長凸部５５が嵌合する嵌合溝２１０が形成されている。
【００２４】
内壁２２には、後述するカバー５をボディ２に取り付けるためのねじ孔２２１が設けられている。ねじ孔２２１は、アーム１の先端が主部２０において配置される側の内壁２２の端部に配置されている。ねじ孔２２１にカバー５の後述する取付孔５１０（図５の（ａ）参照）を重ね合わせ、取付ねじ（図示せず）で締め付けることにより、カバー５がボディ２に固定される。
【００２５】
凹部２５は、主部２０の外面に、主部２０の内面側に窪んで形成されている。また、凹部２５は、アーム１のボディ取付部１Ａが嵌まる形状およびサイズを有している。凹部２５の長手方向の一端は、アーム１のボディ取付部１Ａの先端が当接する壁面を有しており、当該壁面にアーム押さえ部１１０が設けられている。一方、凹部２５の長手方向の他端は外側に通じるように開放されており、開放端を形成している。これにより、図４の（ａ）および（ｂ）に示すように、アーム１のボディ取付部１Ａが凹部２５内に配置される一方、アーム１の湾曲部および支柱取付部１Ｂが凹部２５から突出する。
【００２６】
図４の（ｃ）に示すように、アーム押さえ部１１０（アーム保持部）は、凹部２５の底面と対向する押さえ面１１０ａを有している。凹部２５の底面と押さえ面１１０ａとの間は、アーム１の厚さより僅かに長い間隔をおいている。このような構造では、凹部２５の底面と押さえ面１１０ａとがアーム１の先端部を挟むように保持する。これにより、アーム１の先端部（先端及びその周辺部分）は、凹部２５の底面と押さえ面１１０ａとの間に差し込まれることで、アーム押さえ部１１０に保持される。
【００２７】
凹部２５の底面における開放端の付近には、突起部２ａが設けられている。突起部２ａは、アーム１の開口部１ａに嵌合するように開口部１ａと同形状（長方形）に形成されている。図４（ａ）に示すように、突起部２ａがアーム１の主板１０から開口部１ａを介して露出することで、センサ窓１０１が形成されている。すなわち、センサ窓１０１は、開口部１ａ及び突起部２ａによって形成されている。センサ窓１０１は、ボディ２が透光性を有する材料で形成されることにより、外部から入射する光を透過して内部に取り込む。
【００２８】
凸部２６は、主部２０の内面に凹部２５を形成するために突出するように形成されている。
【００２９】
凸部２６には、ボディ２をアーム１に取り付けるためのボス２６０、２６１と、後述するカバー５をボディ２に取り付けるためのボス２６２とが設けられている。
【００３０】
ボス２６０、２６１は、凸部２６の長手方向の他端（凹部２５の開放端側）に、凸部２６の幅方向に間隔をおいて配置されている。各ボス２６０、２６１の内周面には、凹部２５に開口する雌ねじが形成されている。ボス２６０、２６１にアーム１の取付孔１００を重ね合わせ、取付ねじ（図示せず）で締め付けることにより、ボディ２がアーム１に先端部から離間した位置で固定される。なお、取付ねじの代わりに、接着剤により、アーム１をボディ２に固定してもよい。
【００３１】
ボス２６２は、ボス２６０、２６１の間に配置されており、ボス２６２の内周面には、凸部２６に開口する雌ねじが形成されている。ボス２６２にカバー５の後述する取付孔５１１（図５の（ａ）参照）を重ね合わせ、取付ねじ（図示せず）で締め付けることにより、カバー５がボディ２に固定される。
【００３２】
また、凸部２６には、後述する電源ユニット７をボディ２に取り付けるためのボス２６３、２６４が設けられている。ボス２６３は、凸部２６の長手方向の中央と突起部２ａとの間に配置され、ボス２６４は、凸部２６の長手方向に沿った一方の側壁部における突起部２ａのほぼ側方に配置されている。ボス２６３、２６４の内周面には、ボス２６３、２６４の先端に開口する雌ねじが形成されている。ボス２６３、２６４を用いた電源ユニット７のボディ２への取り付けについては、後に詳しく説明する。
【００３３】
さらに、凸部２６には、後述するレンズユニット６をボディ２に取り付けるためのボス２６５〜２６８が設けられている。ボス２６５〜２６８は、凸部２６の長手方向に沿った両方の側壁部に二つずつそれぞれ間隔をおいて配置されている。ボス２６５〜２６８を用いた電源ユニット７のボディ２への取り付けについては、後に詳しく説明する。
【００３４】
＜ＬＥＤ基板４＞
ＬＥＤ基板４（基板）は、ボディ２の凸部２６上に、凸部２６と直接接するように配置されている。ＬＥＤ基板４の表面（実装面）には、複数のＬＥＤ３（発光素子）が、ＬＥＤ基板４の長手方向に沿って一定の間隔を空けて実装されている。また、ＬＥＤ基板４の表面には、各ＬＥＤ３への給電路となる導体が印刷されている。ＬＥＤ基板４は、ＬＥＤ３が発する熱の伝導性を高めるために、放熱性を有する材料で形成されていることが好ましい。
【００３５】
＜レンズユニット６＞
レンズユニット６は、各ＬＥＤ３が発する光の配光を決めるために設けられ、例えばポリカーボネートなどの樹脂材料から成る樹脂成形品である。レンズユニット６は、各ＬＥＤ３にそれぞれ対応する複数のレンズ６１と、各レンズ６１を一体に形成した長尺な取付板６２とを有する。本実施形態では、各レンズ６１は、取付板６２の長手方向に沿って一定の間隔を空けて取付板６２と一体に形成されている。
【００３６】
取付板６２の長辺側の一方の端縁には取付孔６１０、６１１が設けられ、取付板６２の長辺側の他方の端縁には取付孔６１２、６１３が設けられている。この取付孔６１０、６１１、６１２、６１３は、取付板６２の厚み方向に貫通するように形成されており、ＬＥＤ基板４を間において、レンズユニット６をボディ２に取付ねじ（図示せず）を用いて固定するために用いる。
【００３７】
＜カバー５＞
カバー５は、ＬＥＤ基板４、レンズユニット６及び電源ユニット７が取り付けられたボディ２の内面を覆う被覆部材である。カバー５は、例えばアクリル樹脂などの透光性を有する樹脂材料から成る半筒状の樹脂成形品であり、その一面（内面）が開放されている。カバー５のボディ２との接合部分は、ボディ２の外形に沿うように長方形を成している。
【００３８】
上記の接合部分となる周端縁には、その全周に亘って、ボディ２の嵌合溝２１０に嵌合するように突出した長凸部５５が形成されている。カバー５でボディ２の解放面を塞ぐときに、長凸部５５がボディ２の嵌合溝２１０に嵌合することで、ボディ２及びカバー５によって密閉された空間を形成することができる。
【００３９】
図５の（ａ）に示すように、カバー５には、カバー５をボディ２に取り付けるための取付孔５１０、５１１が設けられている。取付孔５１０は、アーム１の先端部が配置される側の端部に形成され、取付孔５１１は、アーム１の湾曲部側の端部に形成されている。また、取付孔５１０、５１１は、カバー５の内面側と外面側との間で貫通するように形成されている。
【００４０】
また、カバー５における取付孔５１１付近の底面には、カバー５内に溜まった水を排出するための排水孔５ａが設けられている。排水孔５ａは、カバー５の長手方向に沿って細長く形成されている。
【００４１】
＜電源ユニット７＞
電源ユニット７は、電源基板７２と、電源基板７２を収納する電源ボックス下蓋７２ａ（収納ボックス）及び電源ボックス上蓋７２ｂ（収納ボックス）とで構成されている。電源ユニット７は、ボディ２の凸部２６上のボス２６０〜２６２側の端部付近に取り付けられている。電源ボックス上蓋７２ｂに電源ボックス下蓋７２ａを覆い被せることで電源基板７２を収納する筐体が形成される。
【００４２】
電源ボックス上蓋７２ｂには、ボスリング７００と、係止片７０１とが設けられている。ボスリング７００は、凸部２６に設けられたボス２６３の外周壁に嵌まる環状の部分であり、電源ボックス上蓋７２ｂの側壁部に形成されている。係止片７０１は、電源ボックス上蓋７２ｂの上端面から開口部に向いた方形状を成す小片を二つ含んでおり、電源ボックス上蓋７２ｂの対向する側壁部に一つずつ形成されている。
【００４３】
一方、電源ボックス下蓋７２ａには、取付孔７０２、７０３と、スリット７０４とが設けられている。図５の（ａ）及び（ｂ）に示すように、取付孔７０３は、電源ボックス下蓋７２ａにおけるボス２６０〜２６２側に向く外壁部に形成され、取付孔７０２は、取付孔７０３が形成された外壁部と対向する外壁部に形成されている。スリット７０４は、係止片７０１に係止する切り込み部分であり、電源ボックス下蓋７２ａの対向する側壁部に一つずつ形成されている。
【００４４】
電源ボックス下蓋７２ａは、スリット７０４を係止片７０１に係止させるように電源ボックス上蓋７２ｂに被せられることで、電源ボックス上蓋７２ｂとずれること無く組み合わされる。また、ボスリング７００が凸部２６のボス２６３に嵌められることで、電源ボックス上蓋７２ｂが凸部２６上で位置決めされる。そして、電源ボックス下蓋７２ａのボス２６３、２６４をそれぞれ取付孔７０２、７０３と重ね合わせ、取付ねじ（図示せず）で締め付けることにより、電源ユニット７がボディ２に固定される。
【００４５】
また、電源基板７２は、図５の（ｂ）及び（ｃ）に示すように、点灯回路７０と、光センサ７１とが実装されている。
【００４６】
光センサ７１は、センサ窓１０１を介して電源ユニット７の内部に導かれた自然光を感知し、受光量と比例する電流値を出力する。光センサ７１は、自然光を受けるように、電源ボックス下蓋７２ａ及び電源ボックス上蓋７２ｂに形成された開口の近傍に配置されている。
【００４７】
点灯回路７０は、各ＬＥＤ３に電力を供給する電源として機能する電源部と、光センサ７１の検出出力に応じて発光（点灯）を制御する制御部とを含む回路である。点灯回路７０は、例えば、電源部として、商用電源から供給される交流電力を直流電力に変換する従来周知のＡＣ／ＤＣコンバータを備える。
【００４８】
点灯回路７０は、光センサ７１の受光量と比例する電流値が閾値を下回っているときにＬＥＤ３に電力を供給する。一方、点灯回路７０は、光センサ７１からの受光量が多く、その電流値が闘値以上であるときには、各ＬＥＤ３に電力を供給しない。これにより、照明器具３００は、例えば日が暮れて辺りが暗くなると自動的に各ＬＥＤ３が点灯し、日が昇って辺りが明るくなると自動的に各ＬＥＤ３が消灯する。
【００４９】
＜反射構造の詳細＞
ここでは、センサ窓１０１から取り込まれた光を光センサ７１へ導く反射構造について説明する。
【００５０】
図６は、図１に示される照明器具３００の電源ユニット７周辺の構成を示す図であって、（ａ）はカバーと上記電源ユニットの電源ボックス下蓋とを外した状態の下面図であり、（ｂ）はアーム側から見た上面図であり、（ｃ）は（ｂ）のＣ−Ｃ線矢視断面図である。図７の（ａ）は電源ボックス下蓋７２ａの内面の構造を示す図であり、（ｂ）は電源ボックス下蓋７２ａの外面の構造を示す図である。図８は、図１に示される照明器具３００の電源ユニット７周辺の構成を示す図であって、（ａ）は電源ボックス下蓋７２ａを電源ボックス上蓋７２ｂに取り付ける前の状態を示す斜視図であり、（ｂ）は電源ボックス下蓋７２ａを電源ボックス上蓋７２ｂに取り付けた後の状態を示す斜視図である。図９の（ａ）は、図１に示される照明器具３００の電源ユニット７を含む部分の断面図であり、（ｂ）は（ａ）に示される光センサ７１周辺の要部の拡大図である。
【００５１】
光センサ７１は、図６の（ａ）に示すように、電源基板７２上に設けられており、電源基板７２は電源ボックス上蓋７２ｂ内に格納されている。また、光センサ７１は、電源ボックス上蓋７２ｂの側壁部近傍における、センサ窓１０１及びボス２６０、２６１、２６２と近接する位置に配置されている。
【００５２】
センサ窓１０１は、図６の（ｂ）に示すように、ボディ２の一部が突起して形成された突起部２ａとアーム１に形成された開口部１ａとが嵌合して形成されている。ボディ２は透光性を有するため、照明器具３００の周囲の光はボディ２の突起部２ａを透過する。これにより、照明器具３００の周囲の光は、センサ窓１０１を透過して、照明器具３００の内部へと進入することができる。
【００５３】
電源ユニット７は、図７の（ａ）及び（ｂ）に示すように、後述する反射部８０を備えている。反射部８０は、センサ窓１０１に近接した、電源ボックス下蓋７２ａの外壁面及び電源ボックス上蓋７２ｂの内壁面によって形成されている。また、反射部８０は、電源ボックス下蓋７２ａを電源ボックス上蓋７２ｂに被せた状態で、電源ボックス上蓋７２ｂの光センサ７１側の側壁部との間に空間を形成するように当該側壁部に対して張り出して形成されている。
【００５４】
反射部８０は、電源ボックス下蓋７２ａを電源ボックス上蓋７２ｂに被せた状態で、図８の（ａ）及び（ｂ）に示すように、センサ窓１０１から取り込んだ光が当たる位置にある。また、光センサ７１及び電源基板７２は、電源ボックス下蓋７２ａ及び電源ボックス上蓋７２ｂによって覆われ、電源ユニット７を形成する。
【００５５】
反射部８０は、図９の（ｂ）に示すように、第１反射部８１と、第２反射部８２と、第３反射部８３とを含んでいる。
【００５６】
第１反射部８１は、電源ボックス下蓋７２ａの底面と略平行な面であり、センサ窓１０１と対向している。第２反射部８２は、ボス２６０、２６１側にある面であって、センサ窓１０１に対して鋭角に傾斜している。第３反射部８３は、第２反射部８２と向かい合う電源ボックス上蓋７２ｂの外壁面であって、第１反射部８１及びセンサ窓１０１に対して略垂直な面である。また、反射部８０によって反射された光が光センサ７１へ入射するように、第３反射部８３と、第１反射部８１との間は開口している。
【００５７】
なお、電源ボックス下蓋７２ａにおいて、第１反射部８１、第２反射部８２及び第３反射部８３と隣接し、且つ、互いに対向する二つの内壁面もセンサ窓１０１から取り込まれた光を反射することができるので、反射部８０を構成していると言える。但し、これらの内壁面は、光センサ７１の側方に位置するために、光センサ７１に反射させることができる光量は、第１反射部８１、第２反射部８２及び第３反射部８３が反射できる光量よりも少ない。
【００５８】
センサ窓１０１から取り込んだ光は、入射角に応じて、反射部８０における第１反射部８１、第２反射部８２及び第３反射部８３を含む全ての反射部のうち少なくとも一つにて反射されて光センサ７１へと導かれる。
【００５９】
例えば、センサ窓１０１から取り込まれた光は、第１反射部８１にて反射され、図９の（ｂ）に実線にて示す光路Ａで光センサ７１へ導かれる。または、センサ窓１０１から取り込まれた光は、第２反射部８２にて反射され、図９の（ｂ）に一点鎖線にて示す光路Ｂで光センサ７１へ導かれる。もしくは、センサ窓１０１から取り込まれた光は、第３反射部８３にて反射され、第２反射部８２、第１反射部８１の順に反射されて、図９の（ｃ）に破線にて示す光路Ｃで光センサ７１へ導かれる。
【００６０】
反射部８０を構成する面は、光センサ７１へとより効率的に光を導くために、光の反射率が高い構造となっていることが好ましい。例えば、反射部８０を構成する面は、銀等のメッキや、炭酸マグネシウム等の高反射率材料による、反射膜が形成されていることが好ましい。
【００６１】
なお、本実施形態では反射部８０により光を光センサ７１へと導いているが、他の導光部材を用いてもよい。例えば、センサ窓から取り入れた光を、管壁が反射材料からなる導光チューブや、複数のミラーによる反射によって光センサ７１へと導いてもよい。
【００６２】
特許文献１及び２に記載された構造では、光取込部と光センサとが近接しているので、電源と光センサを一体に収納したケースを用いて照明器具を作製する場合に、該ケースの配置位置は光取込部の配置位置によって決まる。これに対して、本実施形態の照明器具は、センサ窓１０１と光センサ７１とは近接する必要がないため、電源ユニット７の配置位置に制限がなく、照明装置のレイアウトに制約がない。従って、照明装置の設計の自由度を向上させることができる。
【００６３】
また、電源基板７２と光センサ７１とを共に収納した電源ユニット７を用いて照明器具を作製する場合に、電源ユニット７の配置が周囲の光を取り入れるセンサ窓１０１と光センサ７１とが近接していない配置であっても、反射部８０によって光を反射させ光センサ７１へと光を導くことにより、光センサ７１へと効率良く光を取り入れることができる。
【００６４】
電源ユニット７の筐体を形成する電源ボックス下蓋７２ａ及び／又は電源ボックス上蓋７２ｂは、透光性を有する材料からなっていてもよい。
【００６５】
透光性を有する物質としては、例えば、アクリル樹脂等が挙げられる。それにより、例えば、センサ窓１０１に埃、雪、ゴミ等が付着して、周囲の光がセンサ窓１０１からうまく取り込まれない場合であっても、周囲の光が電源ボックス下蓋７２ａ又は電源ボックス上蓋７２ｂを透過して光センサ７１へと入ることができる。従って、日が昇り、照明器具の周囲が明るくなった場合には、電源ボックス下蓋７２ａ又は電源ボックス上蓋７２ｂを透過した光が光センサ７１に入り、確実に照明器具を消灯することができる。
【００６６】
上記のように構成される電源ボックス下蓋７２ａ及び／又は電源ボックス上蓋７２ｂは、一部が遮光部となっていてもよい。具体的には、照明器具の点灯時において、ＬＥＤ３からの迷光が光センサ７１へと入り、光センサ７１が誤動作することを防止するために、照明器具２００における電源ボックス下蓋７２ａ及び／又は電源ボックス上蓋７２ｂのＬＥＤ基板４側の部分は遮光されていることが好ましい。
【００６７】
遮光は、遮光すべき部分に黒等に着色してもよいし、金属箔等の遮光膜を貼り付けてもよい。あるいは、電源ボックス下蓋７２ａ及び／又は電源ボックス上蓋７２ｂを透光性を有する材料と透光性を有しない材質とを組み合わせて作製し、透光性を有しない材料によって遮光部を形成してもよい。
【００６８】
これにより、照明器具の点灯時において、発光素子からの迷光が光センサ７１へと入り、光センサ７１が誤動作することを防止することができる。
【００６９】
〔変形例〕
本実施形態の変形例について、図６に基づいて説明すれば、以下のとおりである。なお、説明の便宜上、前記実施形態にて説明した部材と同じ機能を有する部材については、同じ符号を付記し、その説明を省略する。
【００７０】
本変形例では、図６の（ｂ）及び（ｃ）に示すように、センサ窓１０１は、アーム１に形成された開口部１ａと、ボディ２の一部が突起して形成された突起部２ａとを嵌合して成ることに加えて、開口部１ａから露出する突起部２ａの表面が、アーム１の表面と同一の平面を形成している。
【００７１】
すなわち、突起部２ａが開口部１ａに嵌合した状態において、突起部２ａの表面とアーム１の表面とは同一平面を形成するので、ほぼ平坦となる。これにより、センサ窓１０１に埃、雪、ゴミ等が堆積することを防止できるので、センサ窓１０１を透過する光が減少することによる光センサ７１の誤動作が減少する。
【００７２】
ここで、突起部２ａが開口部１ａに嵌合した状態において、突起部２ａと開口部１ａとの間に隙間が無いことが好ましい。隙間が無いことによって、隙間部に引っかかったゴミ等がセンサ窓１０１を覆うことや、隙間部への雨水等の貯留によるアーム１の腐食が防止できる。
【００７３】
また、突起部２ａの表面は、突起部２ａと開口部１ａとが嵌合した状態において、例えば、図１０に示すように、アーム１の表面に対して突出していても構わない。突起部２ａがアーム１の表面に対して凸形状となることで、ゴミ等の堆積を防止することができる。図１０の（ａ）は図１に示される照明器具のセンサ窓を含む部分の構成を示す上面図であり、図１０の（ｂ）は図１０の（ａ）のＤ−Ｄ線矢視断面図であり、図１０の（ｃ）は図１０の（ａ）のＥ−Ｅ線矢視断面図である。また、図１１の（ａ）は図１に示される照明器具のセンサ窓を含む部分の他の構成を示す上面図であり、図１１の（ｂ）は図１１の（ａ）のＦ−Ｆ線矢視断面図であり、図１１の（ｃ）は図１１の（ａ）のＧ−Ｇ線矢視断面図である。
【００７４】
図１０の（ａ）〜（ｃ）に示す構成では、突起部２ａがアーム１の表面に対して突出している。また、突起部２ａの上端面は、図１０の（ｃ）に示すように、アーム１の長手方向（Ｅ−Ｅ線方向）に沿った断面が湾曲形状となるように形成されている。
【００７５】
あるいは、図１１の（ａ）〜（ｃ）に示す構成では、アーム１の表面と同一の平面を形成している突起部２ａの上に、アーム１の表面及び突起部２ａに対して隆起する隆起部２ｂが設けられていても構わない。隆起部２ｂは、半球状に隆起する部分であり、突起部２ａの上端面のほぼ中央に形成されている。
【００７６】
〔実施形態２〕
本発明の他の実施形態について、図１２に基づいて説明すれば、以下のとおりである。なお、説明の便宜上、前記実施形態１にて説明した部材と同じ機能を有する部材については、同じ符号を付記し、その説明を省略する。
【００７７】
図１２は、本発明の実施形態２に係る照明器具のカバー５の構成を示す図であって、（ａ）はカバー５における電源ユニット７を覆う部分を示す側面図であり、（ｂ）はカバー５における電源ユニット７を覆う部分を示す上面図である。
【００７８】
本実施形態は、実施形態１及び２に係る照明器具３００、４００に適用されるものであり、図１２の（ａ）及び（ｂ）に示すように、カバー５における電源ユニット７を覆う電源ユニット被覆部５０の内面に、縞状溝部５１、５２と、排水溝５３、５４とが設けられている。
【００７９】
図１２の（ｂ）に示すように、排水溝５３（水路）は、電源ユニット被覆部５０における両方の内側の側面（内側面）の下端部にそれぞれ沿うように一本ずつ形成されている。排水溝５４（水路）は、その両端がそれぞれの排水溝５３の一端側とつながり、且つ電源ユニット被覆部５０の端部に沿うように形成されている。排水溝５３における排水溝５４側の端部には、それぞれ排水孔５ａが形成されている。
【００８０】
図１２の（ａ）に示すように、縞状溝部５１は、電源ユニット被覆部５０における内側面に開口部から底面に亘って直線状に伸びるように形成された複数の溝から構成されている。縞状溝部５２は、電源ユニット被覆部５０の内側の底面における排水溝５３、５４の内側の領域（排水溝５３、５４が設けられていない領域）に、両内側面の間で直線状に伸びるように形成された複数の溝から構成されている。
【００８１】
なお、縞状溝部５１、５２は、電源ユニット被覆部５０の内側面だけでなく、外側面に形成されていてもよい。
【００８２】
上記のように構成されるカバー５は、電源ユニット被覆部５０の少なくとも内面に縞状溝部５１、５２が形成されている。これにより、縞状溝部５１、５２が縞状の凹凸を形成することから、電源ユニット被覆部５０内に虫、埃等の異物が侵入しても、外側から見えにくくすることができる。また、電源ユニット７への光の入射が縞状溝部５１、５２によって抑制されるので、電源ユニット７の劣化を防ぐことができる。
【００８３】
また、照明器具３００、４００は、屋外に設置されることから、経年変化で生じたボディ２とカバー５との間に生じた隙間から内部に水が侵入したり、内部と外部との温度差によって内部に結露が生じたりすることで、内部に水が溜まることがある。これに対し、カバー５は、電源ユニット被覆部５０の内底面における、縞状溝部５２が設けられていない領域に、排水溝５３、５４が形成されている。また、照明器具３００、４００は、先端部が上に位置する一方、電源ユニット被覆部５０が下に位置するように傾斜して設置される。これにより、排水溝５３、５４が、水の流れる経路を確保するための水の通り道となって、カバー５内の水を集めることができる。そして、排水孔５ａが、排水溝５３、５４によって集められた水を外部に排出する。従って、照明器具３００、４００の内部に溜まった水を効率良く排出することができる。
【００８４】
なお、排水孔５ａは、排水溝５３のみに形成されているが、排水溝５４にも形成されていてもよい。これにより、排水溝５３の排水孔５ａで排出しきれずに排水溝５４に流れ込んだ水を、排水溝５４の排水孔５ａから排出することができる。従って、照明器具３００、４００の内部に溜まった水をより効率良く排出することができる。
【００８５】
〔実施形態３〕
本発明のさらに他の実施形態について、図１３に基づいて説明すれば、以下のとおりである。なお、説明の便宜上、前記実施形態１及び２にて説明した部材と同じ機能を有する部材については、同じ符号を付記し、その説明を省略する。
【００８６】
図１３は、図１に示される照明器具３００の電源ユニット７周辺の構成を示す図であって、（ａ）はカバー５をボディ２に取り付けた状態の斜視図であり、（ｂ）は電源ユニット７からカバー５への水の滴下をカバー５を外した状態で示す斜視図であり、（ｃ）はカバー５を外した状態の斜視図である。
【００８７】
本実施の形態の照明器具も、基本的には、実施形態１及び２の照明器具と同様に構成されている。本実施形態では、図１３の（ｂ）及び（ｃ）に示されるように、電源ユニット７を形成する電源ボックス下蓋７２ａに配線止め部９０が設けられている。配線止め部９０は、電源ボックス下蓋７２ａの反射部８０が形成される内壁部に対する外壁部から外部に突出して形成された板状の形状を有している。アーム１とボディ２と電源ユニット７とを取り付けた状態において、配線ケーブル９１が、アーム１の湾曲部に沿って配され、ボディ２及びカバー５の接合部分に形成された孔を通じて電源ユニット７の方へと延びている。配線ケーブル９１は、電源ユニット７への途中で、配線止め部９０にて曲げられ、その後、電源ユニット７の内部に入る。ここで、配線止め部９０において、配線ケーブル９１は、ボディ２と反対側、すなわちカバー５側へと凸形状となるように曲げられることで、電源ユニット７に対して動きを規制するように止められている。
【００８８】
また、カバー５には、排水孔５ａが設けられている。排水孔５ａは、カバー５を装着した照明器具を支柱等に取り付けた際に、アーム１を除く照明器具の最下端となるような位置に設けられている。
【００８９】
配線止め部９０は水トラップを兼ねており、水を貯める。配線止め部９０に貯留された水は、配線ケーブル９１が凸形状に曲げられた部分から、カバー５へと滴下される。滴下した水は、カバー５に形成された排水孔５ａによって、照明器具の外部へと排出される。これにより、電源ユニット７への水の浸入を防ぐことができる。
【００９０】
〔まとめ〕
本発明の態様１に係る照明器具は、発光素子と、光を取り込む光取込部（センサ窓１０１）と、前記光取込部から取り込まれた光に基づいて周囲の明るさを感知する光センサ７１と、前記光センサ７１が感知した周囲の明るさを基に、前記発光素子（ＬＥＤ３）の点灯を制御する点灯回路７０と、前記光センサ７１及び前記点灯回路７０を収納する収納ボックス（電源ユニット７）とを備え、前記収納ボックスは、前記光取込部から取り込まれた光を前記光センサ７１へ反射させる反射部８０を有している。
【００９１】
上記の構成によれば、電源と光センサ７１とを共に収納した収納ボックスを用いて照明器具を作製する場合に、光取込部と光センサ７１とは近接する必要が無い。そのため、光取込部に対する光センサ７１及び点灯回路７０の収納ボックスにおけるレイアウトの制約が緩和される。従って、照明器具の設計の自由度を向上させることができる。また、反射部８０によって光を反射させ光センサ７１へと光を導くことにより、光センサ７１へと効率良く光を取り込むことができる。
【００９２】
本発明の態様２に係る照明器具は、上記態様１において、前記収納ボックスが、透光性を有していても良い。
【００９３】
上記の構成によれば、例えば、光取込部に埃、雪、ゴミ等が付着して、光が光取込部から十分取り込まれない場合であっても、光が収納ボックスを透過して光センサ７１へと到達することができる。従って、日が昇り、照明器具の周囲が明るくなった場合には、収納ボックスを透過した光が光センサ７１に入り、確実に照明器具を消灯することができる。
【００９４】
本発明の態様３に係る照明器具は、上記態様１又は２において、前記発光素子及び前記収納ボックスが取り付けられ、絶縁材料からなるボディ２と、前記ボディ２を支持するアーム１とを、さらに備え、前記アーム１は開口部１ａを有し、前記ボディ２は突起部２ａを有し、前記光取込部は、前記突起部２ａが前記開口部１ａに嵌合されてなり、前記突起部２ａの表面は、前記アーム１の表面と同一の平面を形成するか、又は前記アーム１の表面に対して突出していてもよい。
【００９５】
上記の構成によれば、突起部２ａが、開口部１ａに嵌合した状態において、突起部２ａの表面とアーム１の表面とは同一平面上にあり、ほぼ平坦となるか、又は突起部２ａの表面がアーム１の表面に対して突出している。これにより、光取込部に埃、雪、ゴミ等が堆積することを防止できるので、光取込部を透過する光が減少することによる光センサ７１の誤動作が減少する。
【００９６】
本発明の態様４に係る照明器具は、上記態様１から３において、前記収納ボックスを覆うカバー５をさらに備え、前記カバー５が、少なくとも前記収納ボックスを覆う部分の内面に縞状の凹凸が設けられていてもよい。
【００９７】
上記の構成によれば、収納ボックスを覆う部分の内部に、虫、埃等の異物が侵入しても、外側から見えにくくすることができる。また、収納ボックスへの光の入射が縞状溝部５１、５２によって抑制されるので、収納ボックスに収納された光センサ７１及び点灯回路７０の劣化を防ぐことができる。
【００９８】
本発明の態様５に係る照明器具は、上記態様４において、前記カバー５が、前記カバー５の内面で水が流れ込む水路（排水溝５３、５４）と、前記水路に流れ込む水を外部に排出する排水孔５ａとを有していてもよい。
【００９９】
上記の構成によれば、カバー５内の水が水路に流れ込むことにより、排水孔５ａが、水路に流れ込んだ水を外部に排出する。これにより、照明器具の内部に溜まった水を効率良く排出することができる。
【０１００】
本発明の態様６に係る照明器具は、上記態様１において、前記収納ボックスを覆うカバーと、外部から前記収納ボックスへと配置された配線ケーブル９１と、前記収納ボックスに設けられ、前記配線ケーブル９１を止める配線止め部９０とを、さらに備え、前記配線ケーブル９１は、前記カバー５側へ凸形状となるように前記配線止め部９０に止められており、前記カバー５が前記カバー５の内面に流れる水を排出する排水孔５ａを有していてもよい。
【０１０１】
上記の構成によれば、配線止め部９０に貯留された水は、配線ケーブル９１を伝って配線ケーブル９１が凸形状に曲げられた部分から、カバー５へと滴下される。滴下した水は、カバー５に形成された排水孔５ａによって、照明器具の外部へと排出される。これにより、収納ボックスへの水の浸入を防ぐことができる。
【０１０２】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０１０３】
本発明は、周囲の明るさを光センサによって感知し、その明るさに応じて光源部の点灯と消灯を自動制御する照明装置であって、電源及び光センサを共に収納したケースを用いる照明器具に利用することができる。
【符号の説明】
【０１０４】
１      アーム
１ａ      開口部
２      ボディ
２ａ      突起部
５      カバー
５ａ      排水孔
５１、５２  縞状溝部（凹凸）
５３、５４  排水溝（水路）
７０      点灯回路
７１      光センサ
７２ａ    電源ボックス下蓋（収納ボックス）
７２ｂ    電源ボックス上蓋（収納ボックス）
８０      反射部
８１      第１反射部
８２      第２反射部
８３      第３反射部
９０      配線止め部
９１      配線ケーブル
１０１      センサ窓（光取込部）
【図１】
0006407752.tif 000002
【図２】
0006407752.tif 000003
【図３】
0006407752.tif 000004
【図４】
0006407752.tif 000005
【図５】
0006407752.tif 000006
【図６】
0006407752.tif 000007
【図７】
0006407752.tif 000008
【図８】
0006407752.tif 000009
【図９】
0006407752.tif 000010
【図１０】
0006407752.tif 000011
【図１１】
0006407752.tif 000012
【図１２】
0006407752.tif 000013
【図１３】
0006407752.tif 000014